(57)【要約】【課題】Ｘ線画像診断装置12を管理でき、Ｘ線画像診断装置12に対する使用者の要求にも容易に対応できるＸ線画像診断装置12の管理システム11を提供する。【解決手段】Ｘ線画像診断装置12の電源部26の動作情報を通信回線14を通じて管理装置13に送信する。管理装置13において電源部26の動作情報からＸ線画像診断装置12の状態を判断する。電源部26によるＸ線イメージ管24の視野制御に関するデータを、管理装置13から通信回線14を通じてＸ線画像診断装置12に送信する。Ｘ線画像診断装置12では、通信回線14を通じて受信したデータを電源部26に与える。電源部26は、与えられたデータに基づいてＸ線イメージ管24の視野を制御する。【選択図】図１
2007175071.tif 000002
【特許請求の範囲】
【請求項１】
医用機器、この医用機器を動作させる電源部、およびこの電源部の動作で得られる動作情報を通信回線を通じて送信する端末機を有する医用装置と、
前記通信回線を通じて動作情報を受信する通信部、受信した動作情報に基づいて前記医用装置の状態を判断する判断手段を有する管理装置と
を具備していることを特徴とする医用装置の管理システム。
【請求項２】
医用機器、この医用機器を動作させる電源部、およびこの電源部の動作で得られる動作情報を通信回線を通じて送信するとともに前記電源部による医用機器の動作制御に関するデータを前記通信回線を通じて受信して前記電源部に与える端末機を有する医用装置と、
前記通信回線を通じて動作情報を受信するとともに前記電源部による医用機器の動作制御に関するデータを送信する通信部、および受信した動作情報に基づいて前記医用装置の状態を判断する判断手段を有する管理装置と
を具備していることを特徴とする医用装置の管理システム。
【請求項３】
電源部は、端末機と接続して通信する端子を備えている
ことを特徴とする請求項１または２記載の医用装置の管理システム。
【請求項４】
Ｘ線イメージ管、このＸ線イメージ管を動作させる電源部、およびこの電源部の動作で得られる動作情報を通信回線を通じて送信する端末機を有するＸ線画像診断装置と、
前記通信回線を通じて動作情報を受信する通信部、受信した動作情報に基づいてＸ線画像診断装置の状態を判断する判断手段を有する管理装置と
を具備していることを特徴とするＸ線画像診断装置の管理システム。
【請求項５】
Ｘ線イメージ管、このＸ線イメージ管を動作させる電源部、およびこの電源部の動作で得られる動作情報を通信回線を通じて送信するとともに前記電源部によるＸ線イメージ管の視野制御に関するデータを前記通信回線を通じて受信して前記電源部に与える端末機を有するＸ線画像診断装置と、
前記通信回線を通じて動作情報を受信するとともに前記電源部によるＸ線イメージ管の視野制御に関するデータを送信する通信部、および受信した動作情報に基づいてＸ線画像診断装置の状態を判断する判断手段を有する管理装置と
を具備していることを特徴とするＸ線画像診断装置の管理システム。
【請求項６】
Ｘ線画像診断装置は、Ｘ線イメージ管で得られた画像を撮影するカメラを有し、このカメラの動作で得られる動作情報を端末機により通信回線を通じて管理装置に送信する
ことを特徴とする請求項４記載のＸ線画像診断装置の管理システム。
【請求項７】
電源部は、端末機と接続して通信する端子を備えている
ことを特徴とする請求項４ないし６いずれか記載のＸ線画像診断装置の管理システム。
【請求項８】
Ｘ線平面検出器、このＸ線平面検出器を動作させる電源部、Ｘ線平面検出器で検出される画像を処理する画像処理部、およびこれら電源部および画像処理部で得られる動作情報を通信回線を通じて送信する端末機を有するＸ線画像診断装置と、
前記通信回線を通じて動作情報を受信する通信部、受信した動作情報に基づいてＸ線画像診断装置の状態を判断する判断手段を有する管理装置と
を具備していることを特徴とするＸ線画像診断装置の管理システム。
【請求項９】
Ｘ線画像診断装置は、画像処理部で得られた画像のパラレルデータをシリアルデータに変換して通信回線を通じて管理装置に送信し、
管理装置は、前記通信回線を通じて画像のシリアルデータを受信し、この画像のシリアルデータに基づいて前記Ｘ線平面検出器の状態を判断する
ことを特徴とする請求項８記載のＸ線画像診断装置の管理システム。
【請求項１０】
電源部および画像処理部は、端末機と接続して通信する端子を備えている
ことを特徴とする請求項８または９記載のＸ線画像診断装置の管理システム。
【発明の詳細な説明】
【技術分野】
【０００１】
本発明は、医用装置の状態を管理する医用装置の管理システム、およびＸ線画像診断装置の状態を管理するＸ線画像診断装置の管理システムに関する。
【背景技術】
【０００２】
従来、病院などに設置された医用機器とこの医用機器を管理するサービスセンタとを通信回線で結び、サービスセンタから医用機器を遠隔管理する管理システムがある。
【０００３】
この管理システムでは、医用機器自体が自己診断する機能を備え、医用機器に異常が認められた場合には医用機器側からサービスセンタに通知し、サービスセンタで異常に対する対応をサービスステーションに通知し、サービスステーションから病院などにサービスエンジニアなどが派遣されて対処している（例えば、特許文献１参照。）。
【０００４】
また、従来、医用装置として例えばＸ線イメージ管を有するＸ線画像診断装置には、Ｘ線イメージ管を動作させる電源部が組み込まれており、この電源部はＸ線イメージ管の性能を十分発揮できるようにＸ線イメージ管を製造する工場やＸ線画像診断装置を製造する工場で最適な状態に調整されている。ところが、例えば複数の視野を持つＸ線イメージ管を有するＸ線画像診断装置を使用する使用者の要望に応じ、視野の種類を変更する場合がある。例として、２３０ｍｍ（９型）の視野を持つＸ線イメージ管は、拡大視野として１５０ｍｍ（６型）と１２０ｍｍ（４．５型）とを標準で有していたとする。しかし、Ｘ線画像診断装置を使用する使用者は２３０ｍｍ（９型）／１７０ｍｍ（７型）／１３０ｍｍ（５型）を望んだとする。この場合、製造業者では、予め２３０ｍｍ（９型）／１７０ｍｍ（７型）／１３０ｍｍ（５型）の視野に調整したものを使用者に提供するか、使用者が使用する場所でＸ線画像診断装置を据え付ける人や保守サービスする人が視野を調整する必要がある。したがって、迅速に使用者の要求に応えるためには、様々な視野調整をしたＸ線イメージ管を製造業者で準備するか、Ｘ線イメージ管を最適に調整できる専門の据え付ける人や保守サービスする人を養成しなければならない。しかしながら、予め様々な視野を持つＸ線イメージ管を持つことは製造の管理コストの負担が大きくなり、ひいては製品のコストアップに反映してしまう。また、専門の技術者の養成には時間と費用がかかり、これも製品コストやサービスコストに反映してしまう。さらに、実際にＸ線画像診断装置を使用する使用者の要求に即応えることが難しくなる不具合が生じる。
【特許文献１】特開２００５−９５６３５号公報（第５−７頁、図１−２）
【発明の開示】
【発明が解決しようとする課題】
【０００５】
しかしながら、従来の管理システムでは、医用装置自体が自己診断する機能を備えるため、医用装置に異常を検知するためのセンサや診断するためのコンピュータなどの診断装置が必要となり、複雑化および大形化し、製品のコストアップになる問題がある。
【０００６】
また、例えばＸ線イメージ管の視野の変更に対する要求に対して、様々な視野調整をしたＸ線イメージ管を製造業者で準備するか、Ｘ線イメージ管を最適に調整できる専門の技術者を必要とし、製品やサービスのコストアップに反映してしまう問題がある。
【０００７】
本発明は、このような点に鑑みなされたもので、医用装置やＸ線画像診断装置の複雑化および大形化やコストアップを招くことなく、医用装置やＸ線画像診断装置を管理でき、また、医用装置やＸ線画像診断装置に対する使用者の要求にも容易に対応できる医用装置の管理システムおよびＸ線画像診断装置の管理システムを提供することを目的とする。
【課題を解決するための手段】
【０００８】
本発明の医用装置の管理システムは、医用機器、この医用機器を動作させる電源部、およびこの電源部の動作で得られる動作情報を通信回線を通じて送信する端末機を有する医用装置と、前記通信回線を通じて動作情報を受信する通信部、受信した動作情報に基づいて前記医用装置の状態を判断する判断手段を有する管理装置とを具備しているものである。
【０００９】
また、本発明の医用装置の管理システムは、医用機器、この医用機器を動作させる電源部、およびこの電源部の動作で得られる動作情報を通信回線を通じて送信するとともに前記電源部による医用機器の動作制御に関するデータを前記通信回線を通じて受信して前記電源部に与える端末機を有する医用装置と、前記通信回線を通じて動作情報を受信するとともに前記電源部による医用機器の動作制御に関するデータを送信する通信部、および受信した動作情報に基づいて前記医用装置の状態を判断する判断手段を有する管理装置とを具備しているものである。
【００１０】
また、本発明のＸ線画像診断装置の管理システムは、Ｘ線イメージ管、このＸ線イメージ管を動作させる電源部、およびこの電源部の動作で得られる動作情報を通信回線を通じて送信する端末機を有するＸ線画像診断装置と、前記通信回線を通じて動作情報を受信する通信部、受信した動作情報に基づいてＸ線画像診断装置の状態を判断する判断手段を有する管理装置とを具備しているものである。
【００１１】
また、本発明のＸ線画像診断装置の管理システムは、Ｘ線イメージ管、このＸ線イメージ管を動作させる電源部、およびこの電源部の動作で得られる動作情報を通信回線を通じて送信するとともに前記電源部によるＸ線イメージ管の視野制御に関するデータを前記通信回線を通じて受信して前記電源部に与える端末機を有するＸ線画像診断装置と、前記通信回線を通じて動作情報を受信するとともに前記電源部によるＸ線イメージ管の視野制御に関するデータを送信する通信部、および受信した動作情報に基づいてＸ線画像診断装置の状態を判断する判断手段を有する管理装置とを具備しているものである。
【００１２】
また、本発明のＸ線画像診断装置の管理システムは、Ｘ線平面検出器、このＸ線平面検出器を動作させる電源部、Ｘ線平面検出器で検出される画像を処理する画像処理部、およびこれら電源部および画像処理部で得られる動作情報を通信回線を通じて送信する端末機を有するＸ線画像診断装置と、前記通信回線を通じて動作情報を受信する通信部、受信した動作情報に基づいてＸ線画像診断装置の状態を判断する判断手段を有する管理装置とを具備しているものである。
【発明の効果】
【００１３】
本発明によれば、医用装置やＸ線画像診断装置の電源部の動作情報を通信回線を通じて管理装置に送信し、管理装置において電源部の動作情報から医用装置やＸ線画像診断装置の状態を判断できるため、医用機器やＸ線画像診断装置の複雑化および大形化やコストアップを招くことなく、医用機器やＸ線画像診断装置を管理できる。
【００１４】
また、管理装置から電源部による医用機器の動作制御やＸ線イメージ管の視野制御に関するデータを通信回線を通じて医用装置やＸ線画像診断装置に送信し、医用装置やＸ線画像診断装置において通信回線を通じて受信するそのデータを電源部に与え、電源部はそのデータに基づいて医用機器の動作やＸ線イメージ管の視野を制御することができ、医用機器の動作やＸ線イメージ管の視野に関する使用者の要求にも容易に対応できる。
【発明を実施するための最良の形態】
【００１５】
以下、本発明の実施の形態を図面を参照して説明する。
【００１６】
図１に第１の実施の形態を示す。
【００１７】
管理システム11は、例えば病院などに設置される医用装置としてのＸ線検出器であるＸ線画像診断装置12と、このＸ線画像診断装置12を保守サービスする保守サービス会社などに設置される管理装置13とを備え、これらＸ線画像診断装置12と管理装置13とがインターネット、電話回線などの一般公衆回線、専用回線などの通信回線14で結ばれている。
【００１８】
Ｘ線画像診断装置12は、Ｘ線発生器21によって発生したＸ線を照射するＸ線管22、例えば寝台23上の検査者を通過したＸ線が入射してそのＸ線像を可視光像に変換する医用機器としてのＸ線イメージ管24、このＸ線イメージ管24で得られた可視光像を撮影するカメラ25を備えている。
【００１９】
Ｘ線イメージ管24にはこのＸ線イメージ管24を制御動作させる電源部26が組み込まれている。この電源部26には、Ｘ線イメージ管24を動作させる電圧や電流などの動作情報を送信したりＸ線イメージ管24の視野制御や感度制御に関するデータを受信するための例えばＲＳ−２３２Ｃなどの標準的なシリアル通信方法の端子27を備えている。
【００２０】
カメラ25は、光学系およびＴＶカメラを含み、撮影データを送信するための例えばＲＳ−２３２Ｃなどの標準的なシリアル通信方法の端子28を備えている。
【００２１】
Ｘ線イメージ管24の電源部26およびカメラ25は、各端子27，28を介して、コンピュータである端末機29に接続されている。この端末機29には、Ｘ線発生器21や、例えば磁気ディスク、光ディスク、フラッシュメモリなどの記録媒体に対してデータを記録および読み出しする記録装置30なども接続されている。この端末機29により、Ｘ線画像診断装置12が制御される。
【００２２】
そして、Ｘ線画像診断装置12は、電源部26の動作で得られる動作情報やカメラ25の動作で得られる動作情報などを通信回線14を通じて管理装置13に送信するとともに、管理装置13から通信回線14を通じて送信されてくる電源部26によるＸ線イメージ管24の視野制御や感度制御に関するデータを受信し、受信したデータに基づいて電源部26がＸ線イメージ管24を動作させる機能を有している。
【００２３】
また、管理装置13は、通信回線14を通じてＸ線画像診断装置12の端末機29と通信可能とする通信部としてのサーバー41を有し、このサーバー41にはＸ線画像診断装置12と通信する制御装置であるコンピュータ42が接続されている。
【００２４】
そして、コンピュータ42は、Ｘ線画像診断装置12から送信されてくる動作情報に基づいてＸ線画像診断装置12の状態を判断する判断手段43の機能、Ｘ線画像診断装置12に送信するためのＸ線イメージ管24の視野制御や感度制御に関するデータなどを記憶する記憶手段などを有している。
【００２５】
次に、管理システム11の作用を説明する。
【００２６】
Ｘ線画像診断装置12では、Ｘ線イメージ管24を電源部26によって動作させる電圧や電流などの動作情報や感度情報、カメラ25を動作させる動作情報などを端末機29に送り、端末機29に記憶するとともに端末機29から通信回線14を通じて管理装置13のサーバー41に送信する。
【００２７】
管理装置13では、サーバー41を通じてＸ線画像診断装置12から送信されてくる動作情報をコンピュータ42で読み取り、動作情報からＸ線画像診断装置12の状態を判断し、必要に応じて適切な情報を管理装置13から通信回線14を通じてＸ線画像診断装置12に提供したり保守サービス会社からサービスエンジニアなどをＸ線画像診断装置12の場所に派遣して対処する。
【００２８】
この管理システム11により、例えば、管理装置13側では、Ｘ線画像診断装置12から送信されてくる動作情報に基づき、Ｘ線イメージ管24の寿命を予測し、Ｘ線イメージ管24の交換時期をＸ線画像診断装置12の使用者に提案できる。このＸ線イメージ管24の寿命を予測方法としては、電源部26に設けられているＸ線イメージ管24のイオンポンプの電流から予測する方法、カメラ25の光学系の絞りの開度またはＣＣＤなど撮像素子の感度から予想する方法、Ｘ線イメージ管24における０Ｖの基準電圧のところの電流値から予測する方法などがある。したがって、管理装置13側では、Ｘ線画像診断装置12から送信されてくる電源部26からの動作情報であるイオンポンプの電流や０Ｖの基準電圧のところの電流、カメラ25からの動作情報である撮像素子の感度などに基づき、Ｘ線イメージ管24の寿命を予測できる。
【００２９】
さらに、Ｘ線イメージ管24の異常診断もできる。このＸ線イメージ管24の異常診断の方法としては、Ｘ線イメージ管24の各電極間に流れる電流から、Ｘ線イメージ管24の耐電圧不良を判断できる。例えば、通常、陽極と陽極とに最も近い電極との間には１μＡ以下しか電流は流れないが、電極についた異物等で数十μＡの電流が流れている場合は、Ｘ線イメージ管24の耐電圧不良と判断できる。したがって、管理装置13側では、Ｘ線画像診断装置12から送信されてくる電源部26からの動作情報であるＸ線イメージ管24の各電極間に流れる電流に基づき、Ｘ線イメージ管24の耐電圧不良を確認できる。
【００３０】
さらに、Ｘ線イメージ管24およびカメラ25の故障診断もできる。このＸ線イメージ管24およびカメラ25の故障診断の方法としては、電源部26から電圧が出ていない場合にはＸ線イメージ管24が故障していると判断でき、電源部26から電圧が出ている場合にはカメラ25が故障していると判断できる。したがって、管理装置13側では、Ｘ線画像診断装置12から送信されてくる電源部26からの動作情報である電圧に基づき、Ｘ線イメージ管24が故障しているのか、カメラ25が故障しているのか把握できる。
【００３１】
そして、管理装置13側でＸ線イメージ管24の寿命、異常、故障などが確認されれば、保守サービス会社のサービスエンジニアなどが交換するためのＸ線イメージ管24を持ってＸ線画像診断装置12の設置場所に行き、Ｘ線イメージ管24の交換作業に直ぐに入ることができ、作業時間を従来に比べて短くできる。
【００３２】
すなわち、従来の場合、カメラ25の画像に異常が生じていると、まず、Ｘ線イメージ管24を動作させずにカメラ25のみ動作させ、今回の故障がカメラ25側かＸ線イメージ管24側かを確認してからカメラ25をＸ線イメージ管24から取り外し、Ｘ線イメージ管24の出力像を直接観察することによって初めてＸ線イメージ管24の異常や故障などを判定することになり、作業時間が長くかかっていた。
【００３３】
また、Ｘ線画像診断装置12のＸ線イメージ管24の視野は、使用者の望む大きさに容易に変更できる。このＸ線イメージ管24の視野はＸ線イメージ管24内に設けられている電極に印加する電圧により達成される。例えば、標準のＸ線イメージ管24の視野が２３０ｍｍ（９型）／１５０ｍｍ（６型）／１２０ｍｍ（４．５型）の場合、その電極に印加する電圧を変更することにより、２３０ｍｍ（９型）／１７０ｍｍ（７型）／１３０ｍｍ（５型）が達成できる。
【００３４】
そして、Ｘ線画像診断装置12の使用者がＸ線イメージ管24の標準の視野から変更を望む場合には、使用者がその変更を保守サービス会社などに例えば通信回線14を通じて依頼する。保守サービス会社は、変更する視野に対応した電圧のデータを通信回線14を通してＸ線画像診断装置12に送信する。Ｘ線画像診断装置12は、そのデータを通信回線14を通じて端末機29で受信して記憶し、そのデータを電源部26に与える。電源部26は与えられたデータに基づき、Ｘ線イメージ管24の電極に必要な電圧を与え、使用者の望む視野を持つＸ線イメージ管24とする。
【００３５】
Ｘ線イメージ管24の視野を変更する場合、従来は保守サービス会社からサービスエンジニアなどがＸ線画像診断装置12の設置場所まで出張対応していたことに比較して、サービスエンジニアなどが出張対応する必要は全くなくすことができる。保守サービス会社は、使用者からしばしば要求される項目について、予め保守契約をした使用者に対して有料でデータを配信し、使用者は必要に応じてそのデータをサーバー41から取り込む。これにより、Ｘ線画像診断装置12の使用者側にとっては、いちいち保守サービス会社からの人の派遣がなく、迅速に要求を満たすことができる。一方、保守サービス会社側にとっては、顧客が必要なデータをいち早く提供でき、かつ、専門の技術者が最小限になるので、保守費用の削減につながり、サービスの質を低下させることなく、保守サービス契約を続けることができる。
【００３６】
また、管理装置13側においてＸ線イメージ管24の電源部26から送信されてくる動作情報からＸ線イメージ管24の感度を把握し、感度の低下が認められる場合などには修正する感度データを管理装置13からＸ線画像診断装置12に送り、Ｘ線イメージ管24の感度を補正することもできる。
【００３７】
なお、通信回線14によるデータの提供が機密保持上困難な場合には、データの転送に磁気ディスク、光ディスクおよびフラッシュメモリなどの記録媒体を用いても同様な効果が得られる。
【００３８】
したがって、この管理システム11では、Ｘ線画像診断装置12の電源部26やカメラ25の動作情報を通信回線14を通じて管理装置13に送信し、管理装置13において電源部26やカメラ25の動作情報からＸ線画像診断装置12の状態を判断できるため、Ｘ線画像診断装置12側には異常を検知するためのセンサや診断するための診断装置などが必要なく、Ｘ線画像診断装置12の複雑化および大形化やコストアップを招くことなく、Ｘ線画像診断装置12を管理できる。
【００３９】
また、管理装置13から電源部26によるＸ線イメージ管24の視野制御に関するデータを通信回線14を通じてＸ線画像診断装置12に送信し、Ｘ線画像診断装置12において通信回線14を通じて受信するそのデータを電源部26に送り、電源部26はそのデータに基づいてＸ線イメージ管24の視野を制御することができ、Ｘ線イメージ管24の視野に関する使用者の要求にも容易に対応できる。そのため、Ｘ線イメージ管24の視野の変更に対する要求に対して、様々な視野調整をしたＸ線イメージ管24を製造業者で準備したり、Ｘ線イメージ管24の視野調整をする専門の技術者が必要なく、製品やサービスのコストを低減できる。
【００４０】
次に、図２に第２の実施の形態を示す。
【００４１】
医用機器として、Ｘ線イメージ管24とカメラ25を用いるのに代えて、Ｘ線像を電気信号として取り出すＸ線平面検出器51を用いた場合を示す。
【００４２】
このＸ線平面検出器51は、Ｘ線平面検出器51を動作させる電源部52、およびＸ線平面検出器51の出力データを画像処理する画像処理部53を有する駆動ユニット54を備えている。駆動ユニット54は、すなわち電源部52および画像処理部53は、電源部52からの動作情報や画像処理部53で得られた画像のパラレルデータをシリアルデータに変換して送信するための例えばＲＳ−２３２Ｃなどの標準的なシリアル通信方法の端子55を備えており、この端子55を介して、端末機29に接続されている。
【００４３】
そして、Ｘ線画像診断装置12では、Ｘ線平面検出器51を電源部52によって動作させる電圧や電流などの動作情報や、画像処理部53からの画像データなどを端末機29に送り、端末機29に記憶するとともに端末機29から通信回線14を通じて管理装置13のサーバー41に送信する。このとき、画像処理部53で得られた画像データをパラレルデータからシリアルデータに変換して送信する。
【００４４】
管理装置13では、サーバー41を通じてＸ線画像診断装置12から送信されてくる動作情報や画像データをコンピュータ42で読み取り、動作情報や画像データからＸ線画像診断装置12の状態を判断し、必要に応じて適切な情報を管理装置13から通信回線14を通じてＸ線画像診断装置12に提供したり保守サービス会社からサービスエンジニアなどをＸ線画像診断装置12の場所に派遣して対処する。
【００４５】
この管理システム11により、例えば、管理装置13側では、Ｘ線画像診断装置12から送信されてくる画像データに基づき、Ｘ線平面検出器51の画素欠け、ライン切れ、感度などを診断でき、異常や故障などを把握できる。このとき、画像データがシリアルデータであるため、Ｘ線平面検出器51の画素欠け、ライン切れ、感度などを診断できる。
【００４６】
そのため、Ｘ線画像診断装置12を使用する側においては、Ｘ線平面検出器51の状態を直ぐに保守サービス会社に提供でき、適切なコンサルティングを受けることができる。
【００４７】
なお、前記各実施の形態において、Ｘ線イメージ管24やＸ線平面検出器51を動作させる電源部26，52や画像処理部53の内部に端末機29などのコンピュータを内蔵させてもよい。
【００４８】
また、端末機29としては、通信機能を有する携帯端末などを用いてもよい。
【図面の簡単な説明】
【００４９】
【図１】本発明の第１の実施の形態を示す管理システムの構成図である。
【図２】本発明の第２の実施の形態を示す管理システムの構成図である。
【符号の説明】
【００５０】
11    管理システム
12    医用装置としてのＸ線画像診断装置
13    管理装置
14    通信回線
24    医用機器としてのＸ線イメージ管
25    カメラ
26    電源部
27    端子
29    端末機
41    通信部としてのサーバー
43    判断手段
51    医用機器としてのＸ線平面検出器
52    電源部
53    画像処理部
55    端子
【図１】
2007175071.tif 000003
【図２】
2007175071.tif 000004